(57)【要約】【課題】スポンジ本体の変形劣化を抑制しながら高い洗浄性と操作性を併せ持ち、かつ、食物残滓等の除去の容易化と製造の容易化とを図る。【解決手段】スポンジ本体１の外面側に保護ネット３が貼着されているキッチンスポンジ。【選択図】図１
2017006199.tif 000002
【特許請求の範囲】
【請求項１】
スポンジ本体の外面側に保護ネットが貼着されているキッチンスポンジ。
【請求項２】
前記スポンジ本体が、前記外面として表面と裏面と周側面を備えたブロック状に構成され、
前記保護ネットが、少なくとも前記スポンジ本体の表面側と裏面側のいずれか一方に貼着されている請求項１記載のキッチンスポンジ。
【請求項３】
前記スポンジ本体が、前記外面として表面と裏面と周側面を備えたブロック状に構成され、
前記保護ネットが、前記スポンジ本体の表面側と裏面側の両方に貼着されている請求項１記載のキッチンスポンジ。
【請求項４】
前記保護ネットが、前記スポンジ本体の周側面側には貼着されていない請求項３記載のキッチンスポンジ。
【請求項５】
前記保護ネットと前記スポンジ本体との間に不織布が介在されている請求項１〜４のいずれか１項に記載のキッチンスポンジ。
【請求項６】
前記保護ネットが、当該保護ネットの経糸方向及び緯糸方向を前記スポンジ本体のネット貼着面の側辺に対して交差する方向に配置した形態で前記スポンジ本体の外面側に貼着されている請求項１〜５のいずれか１項に記載のキッチンスポンジ。
【発明の詳細な説明】
【技術分野】
【０００１】
本発明は、家庭の台所や飲食店の厨房等で用いられる洗浄具としてのキッチンスポンジに関する。
【背景技術】
【０００２】
ウレタンフォーム等のブロック状のスポンジ本体の単体で構成されるキッチンスポンジでは、柔軟なスポンジ本体の平滑な外面が食器等の被洗浄物の被洗浄面に直接当て付けられた状態で摺動洗浄操作されるため、被洗浄面に付着した汚れに対する掻き落とし性能が低く、しかも、スポンジ本体の洗浄作用部位が短期間で変形劣化し易い問題がある。
そこで、従来では、特許文献１に示すように、ブロック状のスポンジ本体を袋状に縫製される合成繊維の保護ネットで包み込み、袋状に縫製された保護ネットの周縁部分とスポンジ本体の周縁部分とを縫着してなるキッチンスポンジが提案されている。
このキッチンスポンジの場合では、食器等の被洗浄物の洗浄時において、スポンジ本体からの水等の洗浄液のしみ出しを確保しながら、袋状の保護ネットによる洗浄作用部位での凹凸によって被洗浄面に付着した汚れをスムーズに掻き落とすことができ、しかも、スポンジ本体の変形劣化を袋状の保護ネットによって抑制することができる。
【先行技術文献】
【特許文献】
【０００３】
【特許文献１】実開平６−４６６５８号公報
【発明の概要】
【発明が解決しようとする課題】
【０００４】
従来のキッチンスポンジでは、袋状の保護ネットの周縁部分とスポンジ本体の周縁部分とが縫着されているものの、その周縁部分以外の大部分の洗浄作用領域においては、袋状の保護ネットとスポンジ本体とが面方向及び厚み方向で相対移動可能な状態にある。
そのため、袋状の保護ネットの洗浄作用部位を被洗浄物の被洗浄面に当て付けた状態で摺動洗浄操作したとき、袋状保護ネットの洗浄作用部位とこれに対応するスポンジ本体の洗浄作用部位との間での面方向のずれ動きによって洗浄操作力の伝達ロスが発生し、保護ネットの凹凸による汚れの掻き落とし性能が充分に発揮されない状態が生じるとともに、ずれ動きによって体感的な洗浄操作性も低下する不都合がある。
しかも、袋状の保護ネットの洗浄作用部位とスポンジ本体の洗浄作用部位との厚み方向でのずれ動きによって発生した両者間の空隙に食物残滓等が入り込み易く、且つ、入り込んだ食物残滓等が袋状保護ネットと弾性復元力が発生しているスポンジ本体との間で挾持されるため、入り込んだ食物残滓等の除去に多くの手間を要する。
さらに、スポンジ本体を包み込んだ状態で保護ネットを袋状に縫着し、且つ、袋状の保護ネットの周縁部分とスポンジ本体の周縁部分とを縫着する必要があるため、キッチンスポンジの製造に多くの手間を要し、製造コストの高騰化を招来する不都合がある。
【０００５】
この実情に鑑み、本発明の主たる課題は、スポンジ本体の変形劣化を抑制しながら高い洗浄性と操作性を併せ持ち、かつ、食物残滓等の除去の容易化と製造の容易化とを図ることのできるキッチンスポンジを提供する点にある。
【課題を解決するための手段】
【０００６】
本発明によるキッチンスポンジの第１の特徴構成は、スポンジ本体の外面側に保護ネットが貼着されている点にある。
【０００７】
上記構成によれば、スポンジ本体とそれの外面側に位置する保護ネットとが、当該保護ネットの貼着によって面方向及び厚み方向での相対移動が阻止された一体化状態にある。
そのため、保護ネットの洗浄作用部位を食器等の被洗浄物に当て付けた状態で摺動洗浄操作したとき、保護ネットの洗浄作用部位とこれに対応するスポンジ本体の洗浄作用部位との間での面方向のずれ動きがなく、スポンジ本体を介して洗浄操作力を保護ネットの洗浄作用部位に効率良く伝達することができる。しかも、保護ネットとスポンジ本体との一体化によって洗浄操作性を改善することができる。
さらに、被洗浄物の洗浄時に、保護ネットの洗浄作用部位とスポンジ本体の洗浄作用部位との厚み方向でのずれ動きによる空隙発生がないため、従来のように保護ネットとスポンジ本体との間に発生した空隙に食物残滓等が入り込むことがなく、キッチンスポンジの外面に付着した食物残滓等を簡単に洗い落とすことができる。
したがって、スポンジ本体の外面側に保護ネットを貼着するという合理的な改良により、スポンジ本体の変形劣化を抑制しながら高い洗浄機能と高い洗浄操作性を発揮させることができ、しかも、食物残滓等の除去の容易化と製造の容易化とを図ることができる。
【０００８】
本発明によるキッチンスポンジの第２の特徴構成は、前記スポンジ本体が、前記外面として表面と裏面と周側面を備えたブロック状に構成され、
前記保護ネットが、少なくとも前記スポンジ本体の表面側と裏面側のいずれか一方に貼着されている点にある。
【０００９】
上記構成によれば、スポンジ本体の外面のうち、周側面を構成する各辺の側面よりも表面積の大きな主洗浄作用面を構成するスポンジ本体の表裏面側のいずれか一方に保護ネットを貼着することにより、スポンジ本体の変形劣化を抑制しながらより高い洗浄機能を発揮させることができる。
【００１０】
本発明による第３の特徴構成は、前記スポンジ本体が、前記外面として表面と裏面と周側面を備えたブロック状に構成され、
前記保護ネットが、前記スポンジ本体の表面側と裏面側の両方に貼着されている点にある。
【００１１】
上記構成によれば、スポンジ本体の外面のうち、周側面を構成する各辺の側面よりも表面積の大きな主洗浄作用面を構成するスポンジ本体の表裏面側の各々に保護ネットを貼着することにより、スポンジ本体の変形劣化をさらに抑制しながらより高い洗浄機能を長期に亘って発揮させることができる。
【００１２】
本発明による第４の特徴構成は、前記保護ネットが、前記スポンジ本体の周側面側には貼着されていない点にある。
【００１３】
上記構成によれば、スポンジ本体の表裏面側の両方に貼着された保護ネットの選択使用によって、スポンジ本体の変形劣化の抑制機能と高い洗浄機能とを長期に亘って維持しながらも、スポンジ本体の周側面側には保護ネットが存在しないため、製造作業数と製造材料との削減によって低コスト化を図ることができる。
さらに、スポンジ本体の周側面側に保護ネットを貼着することによる当該スポンジ本体の厚み方向（表裏方向）での柔軟性等の変形操作性能の低下を回避することができる。
【００１４】
本発明による第５の特徴構成は、前記保護ネットと前記スポンジ本体との間に不織布が介在されている点にある。
【００１５】
上記構成によれば、食器等の被洗浄物の洗浄時において、スポンジ本体から不織布及び保護ネットを介して水等の洗浄液のしみ出しを確保しながら、不織布で補強された保護ネットの洗浄作用部位での凹凸によって被洗浄面に付着した汚れを効率良く強力に掻き落とすことができる。しかも、保護ネットに加えて不織布によりスポンジ本体の変形劣化をより効果的に抑制することができるとともに、不織布の保護ネット側の表面を模様等の装飾表示面として活用することもできる。
【００１６】
本発明による第６の特徴構成は、前記保護ネットが、当該保護ネットの経糸方向及び緯糸方向を前記スポンジ本体のネット貼着面の側辺に対して交差する方向に配置した形態で前記スポンジ本体の外面側に貼着されている点にある。
【００１７】
上記構成によれば、保護ネットの特性、つまり、経糸方向及び緯糸方向は伸延性が低く、経糸方向及び緯糸方向と交差する方向は伸延性が高い特性を利用して、保護ネットにおける経糸方向及び緯糸方向をスポンジ本体のネット貼着面の側辺に対する交差方向とすることにより、被洗浄面の湾曲部位に沿ってスポンジ本体を柔軟に折り曲げることができ、洗浄操作性をより高めることができる。
【図面の簡単な説明】
【００１８】
【図１】第１実施形態のキッチンスポンジの裏面側の斜視図
【図２】第１実施形態のキッチンスポンジの表面側の斜視図
【図３】第１実施形態のキッチンスポンジの断面図
【図４】第１実施形態のキッチンスポンジの平面図
【図５】第２実施形態のキッチンスポンジの断面図
【図６】第３実施形態のキッチンスポンジの断面図
【発明を実施するための形態】
【００１９】
〔第１実施形態〕
図１〜図４は、家庭の台所や飲食店の厨房等で用いられる洗浄具としてのキッチンスポンジＫＳを示す。このキッチンスポンジＫＳは、ブロック状のスポンジ本体１と、このスポンジ本体１の裏面１ｂに貼着される不織布２と、スポンジ本体１の表面１ａ及び不織布２の表面の全域にそれぞれ接着剤等で一体的に貼着される同一形状の保護ネット３とから構成されている。
【００２０】
スポンジ本体１は、連続気泡を備えた発泡樹脂の一例であるウレタンフォームを用いて反発弾性が低く柔軟な偏平状の直方体に成形されている。
このスポンジ本体１の外面は、表面積が最も大きな主洗浄作用面を形成する表面１ａ及び裏面１ｂと、第２番目の大きさの洗浄作用面を形成する長辺側の両側面１ｃ，１ｄと、表面積が最も小さな洗浄作用面を形成する短辺側の両側面１ｅ，１ｆとからなる。そのうち、長辺側の両側面１ｃ，１ｄと短辺側の両側面１ｅ，１ｆとから周側面が構成されている。
このスポンジ本体１の周側面を構成する長辺側の両側面１ｃ，１ｄ及び短辺側の両側面１ｅ，１ｆには、保護ネット３や不織布２は貼着されておらず、ウレタンフォームが露出した状態にある。
そのため、スポンジ本体１の周側面側に保護ネット３や不織布２を貼着することによる当該スポンジ本体１の厚み方向（表裏方向）での柔軟性等の変形操作性能の低下を回避することができるとともに、製造作業数と製造材料との削減によって低コスト化を図ることができる。
【００２１】
尚、本実施形態においては、スポンジ本体１の表面１ａ及び裏面１ｂのいずれもが表面積の最も大きな主洗浄作用面を構成しているが、スポンジ本体１の表面１ａ側には保護ネット３のみが存在し、スポンジ本体１の裏面１ｂ側には不織布２と保護ネット３とが存在するため、スポンジ本体１の表面１ａ側の洗浄性能と裏面１ｂ側の洗浄性能とは異なり、洗浄作業者の判断によって選択使用される。
そのため、スポンジ本体１の表面１ａと裏面１ｂの区別がつき難い関係にあるが、本実施形態では、不織布２の表面に保護ネット３の網目３ａを通して目視することのできる模様等が印刷されているため、不織布２が貼着されているスポンジ本体１の面を裏面１ｂとし、保護ネット３だけが貼着されているスポンジ本体１の面を表面１ａとする。
【００２２】
そして、スポンジ本体１の表面１ａとそれの外面側に位置する保護ネット３とが接着剤等による貼着によって面方向及び厚み方向（表裏方向）での相対移動が阻止された一体化状態にある。
また、スポンジ本体１の裏面１ｂとそれの外面側に位置する不織布２、及び、当該不織布２とそれの外面側に位置する保護ネット３とがそれぞれ接着剤等による貼着によって面方向及び厚み方向（表裏方向）での相対移動が阻止された一体化状態にある。
【００２３】
そのため、保護ネット３の洗浄作用部位を食器等の被洗浄物に当て付けた状態で摺動洗浄操作したとき、保護ネット３の洗浄作用部位とこれに対応するスポンジ本体１の洗浄作用部位との間での面方向のずれ動きがなく、スポンジ本体１を介して洗浄操作力を保護ネット３の洗浄作用部位に効率良く伝達することができる。しかも、保護ネット３とスポンジ本体１との一体化によって洗浄時の体感的な洗浄操作性を改善することができる。
【００２４】
さらに、被洗浄物の洗浄時に、保護ネット３の洗浄作用部位とスポンジ本体１の洗浄作用部位との間に厚み方向でのずれ動きによって空隙が発生することがないため、従来のように、保護ネット３とスポンジ本体１の表面１ａとの間、及び、不織布２の表面と保護ネット３との間に食物残滓等が入り込むことがなく、キッチンスポンジＫＳの表面に付着した食物残滓等を簡単に洗い落とすことができる。
勿論、スポンジ本体１の裏面１ｂと不織布２との間にも空隙が発生することがないため、これら両者１，２間に食物残滓等が入り込むことがない。
【００２５】
それ故に、スポンジ本体１の表面１ａ側及び裏面１ｂ側に保護ネット３を貼着するという合理的な改良により、スポンジ本体１の変形劣化を抑制しながら高い洗浄機能と高い洗浄操作性を発揮させることができ、しかも、食物残滓等の除去の容易化と製造の容易化とを図ることができる。
【００２６】
不織布２の素材は特に限定されないが、例えば、天然繊維や合成繊維、或いはそれらの混合繊維が存在する。食器洗浄具の分野で一般に良く使用される合成繊維としては、ポリエステル繊維、ナイロン繊維、レーヨン繊維、ポリプロピレン繊維等を挙げることができる。
不織布２のウェブの製造方法としては乾式法、湿式法、スパンボンド法、メルトブローン法、エアレイド法等があり、また、ウェブの繊維結合方法としては、ケミカルボンド法、サーマルボンド法、ニードルパンチ法、水流交絡法等がある。これらのいずれの方法で製作された不織布２も好適に使用することができる。
当該実施形態では、不織布２が、ニードルパンチ法でポリエステル繊維同士が緻密に交絡した状態で製作された不織布シートから構成されており、スポンジ本体１の表面１ａ又は裏面１ｂと同一の輪郭形状に形成されている。
この不織布２は、スポンジ本体１の裏面１ｂとの接合面全域に接着剤を塗布して貼着されている。
【００２７】
上述のように、保護ネット３とスポンジ本体１の裏面１ｂとの間に不織布２が介在されている場合には、食器等の被洗浄物の洗浄時において、スポンジ本体１から不織布２及び保護ネット３を介して水等の洗浄液のしみ出しを確保しながら、不織布２で補強された保護ネット３の洗浄作用部位での凹凸によって被洗浄面に付着した汚れを効率良く強力に掻き落とすことができる。しかも、スポンジ本体１の変形劣化を保護ネット３及び不織布２によってより効果的に抑制することができるとともに、不織布２の保護ネット３側の表面を模様印刷面等の装飾表示面として活用することもできる。
【００２８】
保護ネット３は、天然又は化学繊維からなる１本又は複数本の繊維糸をネット編織用経糸３ｂ及びネット編織用緯糸３ｃとしてネット状に織成又は編成し、経糸３ｂの長手方向である経糸方向（図１の矢印ロ方向）及び緯糸３ｃの長手方向である緯糸方向（図１の矢印イ方向）に沿って目の細かい多数の網目３ａを形成してあるネット生地から構成されている。
当該実施形態では、１本又は複数本のナイロン糸をネット状に織成又は編成してあるネット生地が用いられ、網目３ａは菱形状に形成されているとともに、スポンジ本体１の表面１ａ又は裏面１ｂと同一の輪郭形状に形成されている。
ナイロン糸の素材も、特に限定されないが、例えば、ナイロン６、ナイロン６６、ナイロン４６、ナイロン１２、ナイロン６１０、ナイロン６１２或いはその共重合体などのポリアミド類がある。
【００２９】
保護ネット３は、スポンジ本体１の表面１ａ及び不織布２の表面との各接合面に接着剤を塗布して貼着されている。
この貼着にあたって、保護ネット３は、当該保護ネット３の経糸方向（矢印ロ方向）及び緯糸方向（矢印イ方向）を前記スポンジ本体１のネット貼着面側の両長側辺（図１の矢印ハ方向に沿う側辺）及び両短側辺（図１の矢印ニ方向に沿う側辺）に対して交差する方向に配置した形態でスポンジ本体１の表面１ａ及び不織布２の表面に貼着されている。
【００３０】
保護ネット３の特性、つまり、経糸方向（矢印ロ方向）及び緯糸方向（矢印イ方向）は伸延性が低く、経糸方向（矢印ロ方向）及び緯糸方向（矢印イ方向）と交差する方向（図１の矢印ハ、ニ方向）は伸延性が高い特性を利用して、保護ネット３における経糸方向及び緯糸方向を、ネット貼着面であるスポンジ本体１の表面１ａの側辺及び不織布２の表面の側辺に対する交差方向とすることにより、被洗浄面の湾曲部位に沿ってスポンジ本体１を柔軟に折り曲げることができ、洗浄操作性をより高めることができる。
【００３１】
尚、キッチンスポンジＫＳを製作するにあたっては、スポンジ本体１と不織布２と両保護ネット３とをそれぞれ各別に所定形状に裁断して、裁断されたスポンジ本体１と不織布２と両保護ネット３とを積層して接着剤や熱融着等で貼着してもよいが、幅広帯状のスポンジ本体１と幅広帯状の不織布２及び幅広帯状の両保護ネット３を積層して接着剤や熱融着等で貼着し、その後、所定形状に型抜きして製作してもよい。
また、スポンジ本体１と不織布２と両保護ネット３とから構成されるキッチンスポンジＫＳの輪郭形状は任意の輪郭形状に設定することができる。
【００３２】
〔第２実施形態〕
図５はキッチンスポンジＫＳの別実施形態を示し、ブロック状のスポンジ本体１の表面１ａ及び裏面１ｂの各々に同一形状の保護ネット３が接着剤や熱融着等で貼着されている。これにより、スポンジ本体１の表面１ａとそれの外面側に位置する一方の保護ネット３、及び、スポンジ本体１の裏面１ｂとそれの外面側に位置する他方の保護ネット３とがそれぞれ面方向及び厚み方向（表裏方向）での相対移動が阻止された一体化状態に構成されている。
このキッチンスポンジＫＳでは、スポンジ本体１の表面１ａ側の洗浄性能と裏面１ｂ側の洗浄性能とが同一で、形状も同一であるため、スポンジ本体１の表裏面の区別がつかないが、便宜上、一方の主洗浄作用面を表面１ａとし、他方の主洗浄作用面を裏面１ｂとする。
尚、その他の構成は、第１実施形態で説明した構成と同一であるから、同一の構成箇所には、第１実施形態と同一の番号を付記してそれの説明は省略する。
また、当該実施形態において、スポンジ本体１の表面１ａに貼着される保護ネット３の洗浄性能とスポンジ本体１の裏面１ｂに貼着される保護ネット３の洗浄性能とを異ならせてもよい。
【００３３】
〔第３実施形態〕
図６はキッチンスポンジＫＳの別実施形態を示し、ブロック状のスポンジ本体１の表面１ａに保護ネット３が接着剤や熱融着等で貼着されている。これにより、スポンジ本体１の表面１ａとそれの外面側に位置する一方の保護ネット３とが面方向及び厚み方向（表裏方向）での相対移動が阻止された一体化状態に構成されている。
さらに、スポンジ本体１の裏面１ｂには、多数のパイル４ａ群を備えたパイル地４が接着剤や熱融着等により貼着されている。
【００３４】
スポンジ本体１は、同一性能又は異なる性能の二つのスポンジ体１Ａ，１Ｂを接着剤や熱融着等により貼着した二層構造に構成されている。
尚、その他の構成は、第１実施形態で説明した構成と同一であるから、同一の構成箇所には、第１実施形態と同一の番号を付記してそれの説明は省略する。
【００３５】
〔その他の実施形態〕
（１）上述の実施形態では、スポンジ本体１の表面１ａ及び裏面１ｂの少なくとも一方に保護ネット３を接着剤や熱融着等により貼着したが、スポンジ本体１の表面１ａ及び裏面１ｂの少なくとも一方と周側面の少なくとも一部に保護ネット３を接着剤や熱融着等により貼着してもよい。
また、保護ネット３を、スポンジ本体１の外面全体、つまり、スポンジ本体１の表面１ａ、裏面１ｂ、周側面を構成する長辺側の両側面１ｃ，１ｄ及び短辺側の両側面１ｅ，１ｆの全域に貼着してもよい。
さらに、保護ネット３を、スポンジ本体１の表面１ａ及び裏面１ｂの一部に貼着してもよい。
【００３６】
（２）上述の実施形態では、保護ネット３の網目３ａを菱形状に形成したが、網目３ａを四角形や六角形等に構成してもよい。
【００３７】
（３）上述の各実施形態で説明した保護ネット３の繊維糸に、アルミ、銅、ニッケル等の金属を蒸着して表面に金属の薄い膜を形成してもよく、さらに、保護ネット３の繊維糸に金属の微粒子を吹付けてコーティング膜を形成してもよい。
【００３８】
（４）上述の各実施形態で説明したキッチンスポンジＫＳに表裏面に貫通する一個又は複数個の貫通孔を形成してもよい。
【符号の説明】
【００３９】
１      スポンジ本体
１ａ    表面
１ｂ    裏面
１ｃ    周側面（長辺側の側面）
１ｄ    周側面（長辺側の側面）
１ｅ    周側面（短辺側の側面）
１ｆ    周側面（短辺側の側面）
２      不織布
３      保護ネット
３ａ    網目
【図１】
2017006199.tif 000003
【図２】
2017006199.tif 000004
【図３】
2017006199.tif 000005
【図４】
2017006199.tif 000006
【図５】
2017006199.tif 000007
【図６】
2017006199.tif 000008